(57)【要約】【課題】ソケットとヘッダの結合状態を良好に保持しながら小型化を実現できるコネクタを提供することである。【解決手段】ソケット２に略直方体のヘッダ３が装着され、前記ソケット２とヘッダ３とがロック機構で結合されるコネクタ１であって、前記ヘッダ３の短手Ｂ側の両辺に、ヘッダ３の短手方向に伸長又は収縮可能なアーチ状の係合部材４を設置し、前記係合部材４は突出部４ａを有しており、前記突出部４ａのヘッダ３からの突出量は前記係合部材の収縮時に大きくなり且つ伸長時に小さくなり、前記ソケット２に前記係合部材４の突出部４ａと係合する保持部７ａを設けた。【選択図】図１
2010225400.tif 000002
【特許請求の範囲】
【請求項１】
ソケットに略直方体のヘッダが装着され、前記ソケットとヘッダとがロック機構で結合されるコネクタであって、前記ヘッダの短手側の両辺に、ヘッダの短手方向に伸長又は収縮可能なアーチ状の係合部材を設置し、前記係合部材は突出部を有しており、前記突出部のヘッダからの突出量は前記係合部材の収縮時に大きくなり且つ伸長時に小さくなり、前記ソケットに前記係合部材の突出部と係合する保持部を設けたことを特徴とするコネクタ。
【請求項２】
前記ソケットにヘッダを結合させる際に、前記突出部が保持部に押圧されてヘッダからの突出量が小さくなり、ソケットにヘッダが完全に結合されると、突出部が保持部を越えてヘッダからの突出量が大きくなることを特徴とする請求項１に記載のコネクタ。
【請求項３】
前記ソケットの、ヘッダを装着した側とは反対側に孔を設け、前記孔には棒状部材の差し込みが可能であり、前記孔に棒状部材を差し込むと、前記係合部材の突出部のヘッダからの突出量を変更し、突出部と保持部の係合を解除可能であることを特徴とする請求項１又は請求項２に記載のコネクタ。
【発明の詳細な説明】
【技術分野】
【０００１】
本発明は、互いに結合して電気的に接続されるソケットとヘッダの嵌合状態を保持するロック機構を備えたコネクタに関するものである。
【背景技術】
【０００２】
携帯電話、ＤＳＣ（Digital Still Camera）、及びＤＶＣ（Digital Video Camera）等の小型の機器は、複数のプリント配線基板が組み合わされて目的の回路を構成している。プリント配線基板同士の接続には、図？に示すように、ソケット３１とヘッダ３２を備えたコネクタ３０が使用されている。ソケット３１とヘッダ３２は、別々のプリント配線基板に実装され、ソケット３１とヘッダ３２を嵌合することにより、プリント配線基板同士を電気的に接続する。このようなコネクタ３０が特許文献１に開示されている。
【先行技術文献】
【特許文献】
【０００３】
【特許文献１】特開２００６−２１０１８２号公報
【発明の概要】
【発明が解決しようとする課題】
【０００４】
ところで、上記した機器の携帯性を向上させるために、さらに機器の小型化を図るべく改良が要求されている。コネクタ３０においても改良を図りたいところであるが、小型化を図りながらソケット３１とヘッダ３２の嵌合力を保ち、さらにソケット側の電気配線とヘッダ側の電気配線の接続が遮断又は不安定にならないようにするのは困難である。
【０００５】
そこで本発明は上記事情に鑑み、ソケットとヘッダの結合状態を良好に保持しながら小型化を実現できるコネクタを提供することを目的としている。
【課題を解決するための手段】
【０００６】
上記課題を解決するための請求項１の発明は、ソケットに略直方体のヘッダが装着され、前記ソケットとヘッダとがロック機構で結合されるコネクタであって、前記ヘッダの短手側の両辺に、ヘッダの短手方向に伸長又は収縮可能なアーチ状の係合部材を設置し、前記係合部材は突出部を有しており、前記突出部のヘッダからの突出量は前記係合部材の収縮時に大きくなり且つ伸長時に小さくなり、前記ソケットに前記係合部材の突出部と係合する保持部を設けたことを特徴とするコネクタである。
【０００７】
請求項１の発明では、ヘッダの短手側の両辺に設置するアーチ状の係合部材が、ヘッダの短手方向に伸長又は収縮する。よって、係合部材が変形しても、ヘッダのソケットへの装着方向の寸法は変わらない。その結果、従来の係合部材よりも変形代が無用な分だけコネクタを小型化することができる。
【０００８】
また請求項１の発明では、係合部材は突出部を有しており、突出部のヘッダからの突出量は係合部材の収縮時に大きくなり且つ伸長時に小さくなり、ソケットに突出部と係合する保持部を設けたので、ソケットにヘッダを装着すると、突出部が保持部と係合する。よって、ソケットにヘッダが装着される際には、突出部が保持部と係合して両者は一体化する。すなわち、ワンタッチでヘッダをソケットに装着できる。
【０００９】
請求項２の発明は、前記ソケットにヘッダを結合させる際に、前記突出部が保持部に押圧されてヘッダからの突出量が小さくなり、ソケットにヘッダが完全に結合されると、突出部が保持部を越えてヘッダからの突出量が大きくなることを特徴とする請求項１に記載のコネクタである。
【００１０】
請求項２の発明では、ソケットにヘッダを結合させる際に、突出部が保持部に押圧されてヘッダからの突出量が小さくなるので、ソケットに対するヘッダの装着が阻害されることがない。そして、ソケットにヘッダが完全に結合されると、突出部が保持部を越えてヘッダからの突出量が大きくなるので、ソケットからヘッダが不用意に外れることがない。よって、請求項２の発明を実施すると、ソケットにヘッダを円滑に装着し、さらに装着後は外力が作用してもソケットからヘッダが外れることがない。
【００１１】
請求項３の発明は、前記ソケットの、ヘッダを装着した側とは反対側に孔を設け、前記孔には棒状部材の差し込みが可能であり、前記孔に棒状部材を差し込むと、前記係合部材の突出部のヘッダからの突出量を変更し、突出部と保持部の係合を解除可能であることを特徴とする請求項１又は請求項２に記載のコネクタである。
【００１２】
請求項３の発明を実施すると、棒状部材で突出部を押圧してヘッダからの突出量を変更できる。その結果、棒状部材で突出部のヘッダからの突出量を小さくして保持部との係合を解除し、円滑にソケットからヘッダを取り外すことができるようになる。
【発明の効果】
【００１３】
本発明では、係合部材の突出部がヘッダの短手方向に伸長又は収縮して、ヘッダからの突出量が変化するので、コネクタの、ソケットにヘッダを取付ける方向の寸法を小さくすることができ、コネクタの小型化を図ることができる。また、ソケットとヘッダは、良好に結合されるので、両者の電気的な接続は良好である。
【図面の簡単な説明】
【００１４】
【図１】本発明のコネクタを備えたソケットとヘッダの分解斜視図である。
【図２】ヘッダの斜視図であり、（ａ）はヘッダの表側を示し、（ｂ）はヘッダの裏側を示す。
【図３】（ａ）はヘッダに設ける係合部材の斜視図であり、（ｂ）は（ａ）の係合部材の正面図であり、（ｃ）は（ａ）の係合部材の側面図である。
【図４】ソケットの斜視図であり、（ａ）はソケットの表側を示し、（ｂ）はソケットの裏側を示す。
【図５】（ａ）はソケットに設ける被係合部材の斜視図であり、（ｂ）は（ａ）の被係合部材の正面図であり、（ｃ）は（ａ）の被係合部材の側面図である。
【図６】係合部材と被係合部材とが係合する状態を示す断面図であり、（ａ）はソケットにヘッダが近接した状態を示し、（ｂ）はソケットにヘッダが装着される途上でヘッダの係合部材がソケットの被係合部材に係合する途中の状態を示し、（ｃ）はヘッダの係合部材がソケットの被係合部材に対して完全に係合した状態を示す。
【発明を実施するための形態】
【００１５】
以下、図面を参照しながら本発明の実施例を説明する。図１に示すように、本発明のコネクタ１は、ソケット２にヘッダ３を装着して一体化したものである。ソケット２には、従来のソケットと同様に複数のソケット用コンタクト１２（信号端子）が設けられている。また、ヘッダ３にも従来のヘッダと同様に複数のヘッダ用コンタクト２１（信号端子）が設けられている。両者が一体化すると、ソケット用コンタクト１２とヘッダ用コンタクト２１とが接触し、電気的に接続される。
【００１６】
ところで、ソケット２とヘッダ３の結合が外れたり、結合に遊びがあると、ソケット用コンタクト１２とヘッダ用コンタクト２１の電気的な接続が遮断される、又は不安定になる。そこで、以下のような本発明の構成により、ソケット２とヘッダ３の結合が良好に保たれる。以下では、ソケット２とヘッダ３の構成を説明し、続いて両者の係合の仕方を説明する。
【００１７】
まず、ヘッダ３について説明する。図１に示すようにヘッダ３の外形は略直方体形状を呈している。その四辺のうちの短手側（矢印Ｂで示す側）の辺には係止溝６が設けられている。すなわち、ヘッダ３の短手側の両側にはくぼみが設けられ、くぼみの外側に支持壁５が設けられることによって係止溝６が形成されている。支持壁５の両側は係止溝６の開口になっている。
【００１８】
この係止溝６にはアーチ状の係合部材４が設置されている。図３に示すように係合部４は、本体４ｃ，アーム部４ｂ，及び突出部４ａを備えている。アーム部４ｂは本体４ｃの両側に配置されており、各アーム部４ｂの先端に各々突出部４ａが設けられている。
【００１９】
アーム部４ｂは、先端に行くほど前方に迫り出しており、突出部４ａは前方に突出している。仮に、本体４ｃの裏面側を押さえ、突出部４ａを押圧すると、突出部４ａは図３（ａ）において矢印Ｃで示すように後方へ移動（退避）する。すなわち係合部材４は、突出部４ａを押圧すると、変形してヘッダ３の係止溝６（図１）から突出した状態から、係止溝６の中に押し込まれる。
【００２０】
その際の係合部材４の変形は、図１に矢印Ａで示す方向と直交する面内で行われる。よって、変形する前と後では、係合部材４の矢印Ａ方向の寸法は変わらない。ちなみに、従来の係合部材は、矢印Ａで示す方向に変形するため、変形後の係合部材の矢印Ａ方向の寸法は変形前よりも大きくなる。よって、本発明を実施した係合部材４は、矢印Ａ方向に寸法が変わらない分だけコネクタ１を薄く小型化（低背化）できる。
【００２１】
次に、ソケット２について説明する。ソケット２は、ヘッダ３よりも一回り大きい略直方体形状を呈している。ソケット２の短手側の両辺には保持部材７が固定されている。すなわち保持部材７は、ソケット２にヘッダ３が取り付けられた際に、ヘッダ３の係合部材４と係合する位置に配置されている。図５（ａ）に示すように保持部材７は、２つの当接部７ａを備えている。
【００２２】
また、図４（ｂ）に示すように、ソケット２の裏面側には孔８が設けられている。孔８は、ソケット２に保持部材７を装着した際に、保持部材７の当接部７ａ付近に相当する位置に設けられている。
【００２３】
次に、図６（ａ）〜（ｃ）を参照しながらソケット２とヘッダ３の結合の仕方を説明する。図６（ａ）に示すようにソケット２とヘッダ３が離れていると、ヘッダ３の係合部材４の突出部４ａは前方（図６で見て左方）に突出している。
【００２４】
図６（ｂ）に示すように、ヘッダ３がソケット２に装着される途上では、ヘッダ３側の係合部材４の突出部４ａがソケット２側の保持部材７の当接部７ａに当接して後方（図６で見て右方）に移動（後退）している。
【００２５】
図６（ｃ）に示すように、さらにヘッダ３がソケット２に押し込まれると、係合部材４の突出部４ａと保持部材７の当接部７ａの当接が解除され、突出部４ａは前方（図６で見て左方）に移動している。図６（ｃ）に示す状態になると、ヘッダ３がソケット２から外れようとしても、保持部材７の当接部７ａに係合部材４の突出部４ａが係合するため、容易に外れることがない。
【００２６】
仮に、ソケット２からヘッダ３を外す必要がある場合には、ソケット２に設けた孔８から棒状の部材（図示せず）を挿入し、突出部４ａの突出を押さえる。その際、図６（ｃ）に示すように、突出部４ａの下部に傾斜部４ｂを設けておくと、孔８から差し込んだ棒状の部材の先端が傾斜部４ｂを押圧し、棒状部材の先端が傾斜部４ｂ上を滑って突出部４ａが右方へ円滑に後退する。
【００２７】
図６（ｃ）では、保持部材７の当接部７ａと係合部材４の突出部４ａとが離れている状態を描写しているが、このとき、図１に示すソケット用コンタクト１２にヘッダ用コンタクト２１が過剰に押し付けられて撓んでおり、当接部７ａの下面と突出部４ａの上面とが当接すると、ソケット用コンタクト１２とヘッダ用コンタクト２１とが丁度接触するように位置調整が為されている。よって、ソケット用コンタクト１２とヘッダ用コンタクト２１の間の通電は十分に確保される。
【００２８】
以上では、係合部材４が２つの突出部４ａを備えた例を説明したが、係合部材４は、突出部の数だけ設けてもよい。すなわち、１つの係合部材に１つの突出部を備えるようにすることもできる。例えば、長さが図１に示す係合部材４の半分以下の短い係合部材を２つ使用し、図１に示す２つの突出部４ａの位置に、短い係合部材の中央部分を個々に配置し、アーチ状の両端部分をヘッダ３に当接させ、中央部分を突出部として保持部７ａ側に突出させる。係止溝６の形状も、短い係合部材の形状に合わせて形成する。
【符号の説明】
【００２９】
１    コネクタ
２    ソケット
３    ヘッダ
４    アーチ状の係合部材
４ａ  突出部
７ａ  保持部
８    孔
【図１】
2010225400.tif 000003
【図２】
2010225400.tif 000004
【図３】
2010225400.tif 000005
【図４】
2010225400.tif 000006
【図５】
2010225400.tif 000007
【図６】
2010225400.tif 000008